(57)【要約】【課題】携帯端末において、パッキンを溝部に挿入する際に、捩れが発生するのを防いで防水効果を向上させる。【解決手段】上部第２キャビネット１１に略矩形ループ状の上部パッキン１２が嵌め込まれる上部凹溝２０を連続して形成する。上部凹溝２０の幅を上部パッキン１２の断面の幅よりも広く、上部凹溝２０の深さを上部パッキン１２の断面の高さよりも浅くする。そして、上部凹溝２０を構成する内側面２０ａに上部パッキン１２を内側から押し付ける上部突起２２を形成する。そして、上部第１キャビネット１０と上部第２キャビネット１１との間に上部パッキン１２を挟み込んで結合する。【選択図】図１
2010200037.tif 000002
【特許請求の範囲】
【請求項１】
第１キャビネットと第２キャビネットとの間に略矩形ループ状のパッキンを挟み込んで結合される筐体本体を有する携帯端末において、
上記第１キャビネット及び第２キャビネットの一方には、上記パッキンが嵌め込まれる凹溝が連続して形成され、
上記凹溝の幅は、上記パッキンの断面の幅よりも広く、
上記凹溝の深さは、上記パッキンの断面の高さよりも浅く、
上記凹溝を構成する内側面には、上記パッキンを内側から押し付ける突起が形成されている
ことを特徴とする携帯端末。
【請求項２】
請求項１に記載の携帯端末において、
上記突起は、少なくとも上記凹溝の各角部に形成されている
ことを特徴とする携帯端末。
【請求項３】
請求項１又は２に記載の携帯端末において、
上記突起は、上記凹溝を構成する外側面にも形成され、
外側と内側から上記パッキンを挟み込んでいる
ことを特徴とする携帯端末。
【請求項４】
請求項１乃至３のいずれか１つに記載の携帯端末において、
上記パッキンの断面は、略矩形状の底部と、該底部の上面から突出する三角形状の突部とで構成されている
ことを特徴とする携帯端末。
【請求項５】
請求項４に記載の携帯端末において、
上記パッキンの底部の底面は凹部を有し、該パッキンの断面は全体でハート型である
ことを特徴とする携帯端末。
【発明の詳細な説明】
【技術分野】
【０００１】
防水構造を備えた携帯電話機などの携帯端末に関し、特にそのパッキンの捩れの改善に関する。
【背景技術】
【０００２】
従来より、携帯電話機に代表される携帯端末は、天候に関係なく常に携帯され、雨にさらされたり、水の中に落としてしまったり、また湿気の多い場所で使用されたりすることにより、内部の回路部分に水分が入り込み、短絡等の故障の原因になることがある。このため、現在では防水機能をもった携帯端末が多く利用されている。
【０００３】
防水の方法としては、分割されたキャビネットの合わせ面にパッキンを挟んで結合するものがある。詳細には、上下キャビネットの一方のキャビネットの合わせ面の周縁に凹溝を設け、この凹溝にパッキンを、凹溝の深さよりも高くした状態で嵌め込み、他方のキャビネットを合わせてパッキンを圧縮するようにして防水効果を発揮するようにしている。
【０００４】
例えば、特許文献１では、筐体本体及び筐体カバーの一方に嵌合部を形成し、この嵌合部にパッキン収納溝を形成し、このパッキン収納溝にパッキンを装着し、筐体本体及び筐体カバーの他方を嵌合部に嵌合させることにより、筐体の防水構造においてねじの締付け状態に拘らず安定したシール性能が確保できるようにすると共に、筐体カバーの嵌脱時にパッキンが外れないにしている。
【０００５】
また例えば、特許文献２では、第１の筐体と、この第１の筐体に対して折り畳み可能な第２の筐体がフレキシブルプリント回路基板によって連結された折り畳み型携帯端末に関し、水没をしたときなどの防水に配慮して、入力キー基板を有する第１の筐体にケースパッキンを設け、表示器基板を有する第２の筐体にケースパッキンを設け、フロントフレキ部パッキンとリアフレキ部パッキンが、第１の筐体と第２の筐体を連結するフレキシブルプリント回路基板を挟み込むようにしている。
【先行技術文献】
【特許文献】
【０００６】
【特許文献１】特開２００２−１１１２４６号公報
【特許文献２】特開２００５−３２７５２号公報
【発明の概要】
【発明が解決しようとする課題】
【０００７】
ところで、特許文献１では、収納溝に断面円形のパッキンを装着する際の捩れの発生に対する改善がされていない。また、特許文献２においても、ケースパッキンのループ部を挿入する溝部におけるパッキンの捩れについては考慮されていない。しかしながら、パッキンに捩れが発生したままパッキンを挟み込むと、パッキンを圧縮する力に差が出て防水効果が悪化するという問題がある。
【０００８】
本発明は、かかる点に鑑みてなされたものであり、その目的とするところは、パッキンを溝部に挿入する際に、捩れが発生するのを防いで防水効果を向上させることにある。
【課題を解決するための手段】
【０００９】
上記の目的を達成するために、この発明では、凹溝に突起を設けてパッキンの捩れが残らないようにした。
【００１０】
具体的には、第１の発明では、第１キャビネットと第２キャビネットとの間に略矩形ループ状のパッキンを挟み込んで結合される筐体本体を有する携帯端末を対象とする。
【００１１】
そして、上記第１キャビネット及び第２キャビネットの一方には、上記パッキンが嵌め込まれる凹溝が連続して形成され、
上記凹溝の幅は、上記パッキンの断面の幅よりも広く、
上記凹溝の深さは、上記パッキンの断面の高さよりも浅く、
上記凹溝を構成する内側面には、上記パッキンを内側から押し付ける突起が形成されている。
【００１２】
上記の構成によると、パッキンを凹溝に装着する際に、凹溝の内側面の突起がパッキンを内側（パッキンのループ中心方向内側）から押さえ付けるので、突起間のパッキンの辺と凹溝の内側面との間には、隙間が確保されているので、パッキンが摩擦なく挿入されて捩れが発生しにくく、仮に突起間のパッキンに捩れが発生しても、その捩れは容易に戻される。そして、捩れが戻された状態で第１キャビネットと第２キャビネットとを結合すると、凹溝の幅がパッキンの断面の幅よりも広くて凹溝の深さがパッキンの断面の高さよりも浅いことから、パッキンが全体で均一に圧縮されて防水効果が確実に働く。
【００１３】
第２の発明では、第１の発明において、
上記突起は、少なくとも上記凹溝の各角部に形成されている。
【００１４】
上記の構成によると、角部の突起がパッキンを内側から押圧し、角部間のパッキンの辺と凹溝の内側面との間に確実に隙間を形成するので、パッキンが摩擦なく挿入されて捩れが発生しにくく、仮に捩れが発生しても、その捩れは容易に戻される。
【００１５】
第３の発明では、第１又は第２の発明において、
上記突起は、上記凹溝を構成する外側面にも形成され、
外側と内側から上記パッキンを挟み込んでいる。
【００１６】
上記の構成によると、凹溝の各角部において、内側と外側とからパッキンの角部が挟み込まれるので、パッキンがさらに安定し、突起間の捩れもさらに修正しやすくなる。
【００１７】
第４の発明では、第１乃至第３のいずれか１つの発明において、
上記パッキンの断面は、略矩形状の底部と、該底部の上面から突出する三角形状の突部とで構成されている。
【００１８】
上記の構成によると、矩形状の底部が凹溝内で安定して捩れにくくなると共に、三角形状の突部が第１キャビネット及び第２キャビネットの他方に均一に押圧されて変形して防水効果を確実に発揮する。
【００１９】
第５の発明では、第４の発明において、
上記パッキンの底部の底面は凹部を有し、該パッキンの断面は全体でハート型とする。
【００２０】
上記の構成によると、凹部があるので、突部が下方へ変形しやすくなる。
【発明の効果】
【００２１】
以上説明したように、本発明によれば、凹溝に嵌め込むパッキンを凹溝の内側面に形成した突起で内側から押さえ付け、突起間のパッキンと凹溝の内側面との間に隙間を確保するようにしたことにより、突起間に捩れが発生するのを防止して防水効果を向上させることができる。
【００２２】
また、突起を凹溝の内側面及び外側面に形成し、両側からパッキンを挟み込むようにしたことにより、突起間の捩れをさらに修正しやすくすることができる。
【００２３】
また、パッキンの断面を矩形状の底部と三角形状の突部とが連続したものとしたことにより、簡単な形状で、パッキンを凹溝内で安定させることと、先端を変形させやすくすることとを両立させることができる。
【００２４】
さらに、パッキンの断面をハート型にしたことにより、圧縮しやすいシール性の高いパッキンが得られる。
【図面の簡単な説明】
【００２５】
【図１】図６のＩ−Ｉ線拡大断面図である。
【図２】本発明の実施形態にかかる携帯電話機の第１の筐体を第２の筐体に対して開いた状態を示す斜視図である。
【図３】第１の筐体を第２の筐体に対して閉じた状態にある携帯電話機を示す斜視図である。
【図４】携帯電話機における上部パッキン、下部パッキン及びその周辺の分解斜視図である。
【図５】上部パッキン、下部パッキン及びフレキシブル基板を示す平面図である。
【図６】上部凹溝に上部パッキンが嵌め込まれた様子の概略を示す平面図である。
【図７】図６のVII−VII線断面図である。
【図８】図４のVIII部拡大斜視図である。
【図９】図４のIX部拡大斜視図である。
【図１０】本発明の実施形態の変形例にかかる図１相当図である。
【発明を実施するための形態】
【００２６】
以下、本発明の実施形態を図面に基づいて説明する。
【００２７】
図２及び図３は本発明の実施形態にかかる携帯端末としての携帯電話機１を示し、この携帯電話機１は、表面にディスプレイ２が設けられた矩形板状の第１の筐体３と表面に操作部４が設けられた矩形板状の第２の筐体５とがヒンジ部６で折り畳み開閉可能に連結されている。図４に示すように、筐体本体としての第１の筐体３は、いずれも矩形板状の上部第１キャビネット１０と上部第２キャビネット１１とを備え、これら上部第１キャビネット１０と上部第２キャビネット１１とが、上部パッキン１２と第１基板１３とを挟み込んだ状態で嵌め込み結合されるようになっている。同様に、筐体本体としての第２の筐体５も、いずれも矩形状の下部第１キャビネット１５と下部第２キャビネット１６とを備え、これら下部第１キャビネット１５と下部第２キャビネット１６とが、下部パッキン１７と第２基板１８とを挟み込んだ状態で嵌め込み結合されるようになっている。
【００２８】
図５に示すように、上部パッキン１２及び下部パッキン１７は、いずれも略矩形ループ状のものよりなる。例えば、上部パッキン１２及び下部パッキン１７は、それぞれ四角筒状の連続したチューブ（図示せず）から切断して製作される。このため、上部パッキン１２及び下部パッキン１７の４つの角部１２ａ，１２ｂ，１７ａ，１７ｂは、それぞれ曲げ形状が記憶されている。例えば、上部パッキン１２及び下部パッキン１７は、第１基板１３と第２基板１８とを連結するフレキシブル基板１９と共にユニット化された状態で第１の筐体３及び第２の筐体５に挟み込まれている。
【００２９】
一方、図６で概略を示すように、上部第２キャビネット１１には、上部パッキン１２が嵌め込まれる略矩形ループ状の上部凹溝２０が連続して形成されている。そして、図７に拡大して示すように、上部パッキン１２の断面は、例えば、矩形状の底部１２ｃと、この底部１２ｃの上面から突出する三角形状の突部１２ｄとで構成されている。底部１２ｃの底面を凹ませて凹部１２ｅを形成して上部パッキン１２全体としてハート型に形成してもよい。上部凹溝２０の幅ｗ１は、上部パッキン１２の断面の幅ｗ２よりも広く（ｗ１＞ｗ２）、上部凹溝２０の深さｈ１は、上部パッキン１２の断面の高さｈ２よりも浅くなっている（ｈ１＜ｈ２）。
【００３０】
同様に下部第２キャビネット１６には、下部パッキン１７が嵌め込まれる略矩形ループ状下部凹溝２１が形成されている。図示しないが図７と同様に下部パッキン１７は断面ハート型に形成され、下部凹溝２１の幅は、下部パッキン１７の断面の幅よりも広く、下部凹溝２１の深さは、下部パッキン１７の断面の高さよりも浅くなっている。
【００３１】
本実施形態では、上部パッキン１２の全周は、上部凹溝２０の全周よりも短く、下部パッキン１７の全周は、下部凹溝２１の全周よりも短く設定されている。このことで、上部パッキン１２及び下部パッキン１７は、いずれも上部凹溝２０又は下部凹溝２１内で弛まないようになっている。
【００３２】
そして、図１及び図８に拡大して示すように、上部第２キャビネット１１の四角の上部凹溝２０の内側面２０ａには、上部突起２２が形成されている。同様に、図９に拡大して示すように、下部第２キャビネット１６の四角の下部凹溝２１の内側面２１ａにも、下部突起２３が形成されている。
【００３３】
−パッキンの組付方法−
次に、本実施形態にかかる携帯電話機１における上部パッキン１２及び下部パッキン１７の組付方法について説明する。
【００３４】
上部パッキン１２を上部凹溝２０に挿入する際、例えば、上部パッキン１２の曲げを記憶した上部角部１２ａを先に上部凹溝２０の上部突起２２に合わせて挿入し、次に上部パッキン１２の曲げを記憶した下部角部１２ｂを上部凹溝２０の下部の上部突起２２に合わせて挿入する。
【００３５】
このとき、上部パッキン１２を引っ張りながら挿入するときに、上部パッキン１２は４箇所の上部突起２２以外では、上部凹溝２０の内側面２０ａと接触しないので、摩擦なく挿入される。しかも、上部パッキン１２の断面の底部１２ｃが略矩形状であるため、上部凹溝２０に接触した上部パッキン１２に捩れが発生しにくい。
【００３６】
仮に、上部パッキン１２を挿入したときに上部突起２２間で捩れが発生していても、上部パッキン１２は上部凹溝２０の内側面２０ａと接触していないので、容易に捩れを戻すことができる。
【００３７】
この捩れのない状態の上部パッキン１２が嵌め込まれた上部第２キャビネット１１と共に、第１基板１３を挟み込むように上部第１キャビネット１０を嵌め込む。
【００３８】
すると、上部パッキン１２は、捩れなく上部凹溝２０に嵌め込まれているので、突部１２ｄが均等に押し込まれて圧縮され、防水効果が発揮される。
【００３９】
同様に、下部パッキン１７を下部凹溝２１に挿入するときにも摩擦なく挿入され、下部パッキン１７に捩れが発生しにくく、捩れが発生していても容易に捩れを戻すことができる。そして、下部パッキン１７も捩れなく下部凹溝２１に嵌め込まれているので、突部が均等に押し込まれて圧縮され、防水効果が発揮される。
【００４０】
また、上部パッキン１２及び下部パッキン１７の断面を略ハート型としたことにより、簡単な形状で、上部パッキン１２及び下部パッキン１７を上部凹溝２０及び下部凹溝２１内で安定させることと、先端を変形させやすくすることとを両立させることができる。
【００４１】
−実施形態の変形例−
上記実施形態では、上部凹溝２０の内側面２０ａの四角に上部突起２２を形成し、下部凹溝２１の内側面２１ａの四角に下部突起２３を形成したが、本変形例では、図１０に示すように、上部凹溝２０の内側面２０ａ及び外側面２０ｂの四角にそれぞれ上部突起２２及び外側上部突起１２２を形成してもよい。図示しないが、同様に下部凹溝２１の内側面２１ａ及び外側面２１ｂの四角にそれぞれ下部突起２３及び外側下部突起を形成してもよい。
【００４２】
この場合には、上部パッキン１２及び下部パッキン１７は、両側から上部突起２２及び外側上部突起１２２又は下部突起２３及び外側下部突起に挟み込まれるので、各角部で確実に押さえ込まれて捩れが発生しにくくなり、各角部間において捩れが発生したときでも指でその捩れを容易に直すことができる。そして、上部第２キャビネット１１と上部第１キャビネット１０とを嵌合させ、下部第２キャビネット１６と下部第１キャビネット１５とを嵌合させればよい。
【００４３】
このようにすることで、上部パッキン１２及び下部パッキン１７がさらに安定し、突起間の捩れもさらに修正しやすくなる。
【００４４】
（その他の実施形態）
本発明は、上記実施形態について、以下のような構成としてもよい。
【００４５】
すなわち、上記実施形態では、上部パッキン１２及び下部パッキン１７の断面はハート型としたが、円形や多角形でもよく、要は第１キャビネット及び第２キャビネットを結合したときに、適度に変形して防水効果を発揮する形状であればよい。
【００４６】
また、上部パッキン１２の全周を上部凹溝２０の全周よりも長くしてもよく、そのときには、各上部角部１２ａ及び下部角部１２ｂ間の上部パッキン１２は弛んだ状態になるが、上部凹溝２０の内側面２０ａと外側面２０ｂとの間に隙間をもって上部パッキン１２が配置されるので、捩れにくく、また捩れが発生しても容易に捩れを修正することができる。同様に下部パッキン１７の全周を下部凹溝２１の全周よりも長くしてもよい。
【００４７】
上記実施形態では、携帯端末を折り畳み開閉可能な携帯電話機としたが、これに限定されず、第１の筐体が第２の筐体に対してスライドする携帯電話機や、折り畳み機構のないストレートタイプの携帯電話機でもよい。
【００４８】
上記実施形態では、携帯端末は、携帯電話機としたが、ＰＨＳ、ＰＤＡ、ＰＣ、モバイルツール、電子辞書、電卓、ゲーム機等であってもよい。
【００４９】
なお、以上の実施形態は、本質的に好ましい例示であって、本発明、その適用物や用途の範囲を制限することを意図するものではない。
【符号の説明】
【００５０】
１      携帯電話機（携帯端末）
３      第１の筐体（筐体本体）
５      第２の筐体（筐体本体）
１０      上部第１キャビネット
１１      上部第２キャビネット
１２      上部パッキン
１２ａ    上部角部
１２ｂ    下部角部
１２ｃ    底部
１２ｄ    突部
１２ｅ    凹部
１５      下部第１キャビネット
１６      下部第２キャビネット
１７      下部パッキン
２０      上部凹溝
２０ａ    内側面
２０ｂ    外側面
２１      下部凹溝
２１ａ    内側面
２１ｂ    外側面
２２      上部突起
２３      下部突起
１２２      外側上部突起
【図１】
2010200037.tif 000003
【図２】
2010200037.tif 000004
【図３】
2010200037.tif 000005
【図４】
2010200037.tif 000006
【図５】
2010200037.tif 000007
【図６】
2010200037.tif 000008
【図７】
2010200037.tif 000009
【図８】
2010200037.tif 000010
【図９】
2010200037.tif 000011
【図１０】
2010200037.tif 000012